(57)【要約】【課題】  患者が使用していた状態の有床義歯を迅速に復元・作製することが可能な暫間有床義歯の作製方法及び暫間有床義歯の情報保管システムを提供する。【解決手段】  使用可能な状態の有床義歯の三次元形状を計測し三次元座標情報として保管するデータ取得手段、前記三次元座標情報を患者情報と関連付けて保管する患者情報保管手段、後日の必要性に応じて前記三次元座標情報の提供要求を行う要求手段、受けた要求に基いて前記三次元座標情報を提供する情報提供手段を有することを特徴とする暫間有床義歯の情報保管システムとする。【選択図】  図１
2013123557.tif 000002
【特許請求の範囲】
【請求項１】
使用可能な状態の有床義歯の三次元形状を計測し三次元座標情報として保管しておき、後日の必要性に応じて該三次元座標情報を利用した加工によって有床義歯と歯牙が一体となった有床義歯を作製することを特徴とする暫間有床義歯の作製方法。
【請求項２】
加工方法が、三次元座標情報に基づいて制御することにより、ブロック材料をＮＣ制御の３軸以上の加工機によって切削・研削する加工である請求項１に記載の暫間有床義歯の作製方法。
【請求項３】
加工方法が、三次元座標情報に基づいて制御することにより、所定形状を作製するラピッドプロトタイピング装置による加工である請求項１または２に記載の暫間有床義歯の作製方法。
【請求項４】
使用可能な状態の有床義歯の三次元形状を計測し三次元座標情報として保管するデータ取得手段、前記三次元座標情報を患者情報と関連付けて保管する患者情報保管手段、後日の必要性に応じて前記三次元座標情報の提供要求を行う要求手段、受けた要求に基いて前記三次元座標情報を提供する情報提供手段を有することを特徴とする暫間有床義歯の情報保管システム。
【発明の詳細な説明】
【技術分野】
【０００１】
本発明は、暫間有床義歯の作製方法及び暫間有床義歯の情報保管システムに関する。
【背景技術】
【０００２】
震災や大事故等によって多くの人々の財産が一度に失われることがある。その中で義歯は生活に欠かせない身体の一部となる道具であるから、失われた場合には例え災害以外であっても早急に新たな義歯が入手可能であることが望まれている。
【０００３】
しかしながら、新たな義歯の作製は患者の口腔内の印象を採取したり形状データを計測したりする必要があり、更には、患者の口腔内に適合した義歯を作製する操作手順は煩雑であるため非常に時間がかかる（例えば、特許文献１〜５参照。）。そのため、特に震災や大事故等によって多くの人々の義歯が一度に失われる事態となった場合には、大量に義歯の需要が発生してしまうため更に作製に時間がかかるという問題があった。
【特許文献１】特開昭６２−１１７５５２号公報
【特許文献２】特開平０４−０１７８４８号公報
【特許文献３】特開平０５−０６３１７６号公報
【特許文献４】特開平０６−０６３０６５号公報
【特許文献５】特開平１０−１３７２６４号公報
【発明の概要】
【発明が解決しようとする課題】
【０００４】
そこで本発明は、患者本人が使用していた状態の有床義歯を迅速に復元・作製することが可能な暫間有床義歯の作製方法及び暫間有床義歯の情報保管システムを提供することを課題とする。
【課題を解決するための手段】
【０００５】
本発明者等は前記課題を解決すべく鋭意検討した結果、患者本人が使用している有床義歯の形状を予め計測し保存しておけば、復元や作製の必要性が生じた際に速やかにその形状のデータを用いて暫間的に使用する有床義歯を作製することが可能であることを見出して本発明を完成させた。
【０００６】
即ち本発明は、使用可能な状態の有床義歯の三次元形状を計測し三次元座標情報として保管しておき、後日の必要性に応じて該三次元座標情報を利用した加工によって有床義歯と歯牙が一体となった有床義歯を作製することを特徴とする暫間有床義歯の作製方法である。このとき、加工方法が、三次元座標情報に基づいて制御することにより、ブロック材料をＮＣ制御の３軸以上の加工機によって切削・研削する加工であったり、加工方法が、三次元座標情報に基づいて制御することにより、所定形状を作製するラピッドプロトタイピング装置による加工であることが好ましい暫間有床義歯の作製方法である。
【０００７】
また本発明は、使用可能な状態の有床義歯の三次元形状を計測し三次元座標情報として保管するデータ取得手段、前記三次元座標情報を患者情報と関連付けて保管する患者情報保管手段、後日の必要性に応じて前記三次元座標情報の提供要求を行う要求手段、受けた要求に基いて前記三次元座標情報を提供する情報提供手段を有することを特徴とする暫間有床義歯の情報保管システムである。
【発明の効果】
【０００８】
本発明は、患者が使用していた状態の有床義歯を迅速に復元・作製することが可能であり、本発明に係る暫間有床義歯の情報保管システムを用いれば一度に大量に復元・作製することが可能である。
【発明を実施するための形態】
【０００９】
以下、この発明における実施例を図面を用いて説明する。図１は、本発明の一実施形態におけるシステムのブロック図である。機関１は歯科医院や技工所であり、コンピュータ１ａ及びデータ取得手段１ｂを有する。機関２は主に技工所であり、コンピュータ２ａ及び加工手段２ｂを有する。一般的には両者は別機関であることが多いが、両者が同一となった技工所の機能を有した歯科医院の場合もある。この場合を機関４とする。機関４は機関１及び機関２両方の機能を有しているため、以後の説明に於いて機関１，機関２のどちらでも読みかえることができるものとする。
【００１０】
本発明を実施するにあたり、先ず使用可能な状態の有床義歯の三次元形状を計測し三次元座標情報として取得しておく。この作業は有床義歯の復元・作製が必要とされる以前に行っておく必要がある。三次元座標情報の取得方法は、従来からのデータ取得方法が特に限定されずに用いることができる。例えば、可視光による立体撮影，軟Ｘ線，磁気共鳴映像法（ＭＲＩ），ＣＡＴ（コンピュータ断層撮影）によって三次元座標情報を取得すればよい。
【００１１】
データ取得手段１ｂを有する機関１によって、前記データ取得方法のうち１手段または２手段以上を組み合わせて有床義歯の三次元形状を計測し三次元座標情報を取得し保管する（データ取得手段）。その後、機関１は前記三次元座標情報を患者本人と関連付けてコンピュータ１ａに接続されているハードディスク等のデータ保存媒体Ｄに保管する（患者情報保管手段）。三次元座標情報と患者本人との関連付けの方法は特に限定されない。例えば、患者本人の氏名，任意に順番付けられた診察番号，保険証番号等と該三次元座標情報とを関連付ければよい。
【００１２】
患者情報保管手段においては、三次元座標情報は機関１内のコンピュータやそれに接続されている保存媒体Ｄに保管されるのみではなく、複数の機関１に保管されている別の三次元座標情報を、電話回線，インターネット回線等のオンラインＬで接続された管理用コンピュータ３（中央サーバ）にある保存媒体Ｄ中に集中して保管・管理されていることが好ましい。この情報管理機関を機関３とする。
【００１３】
後日、有床義歯の複製・作製が必要とされた場合、例えば患者本人が有床義歯を紛失した場合等には、有床義歯を作製することが可能な加工手段２ｂを有する歯科医院や技工所等の機関２がコンピュータ２ａ等を利用して前記三次元座標情報の提供要求を機関１を通じて、または機関３に対して直接行う（要求手段）。
【００１４】
具体的には、患者本人あるいは患者の代理人が、機関１または機関２に連絡を取り有床義歯の複製・作製の実施が決まると、機関１または機関２は、機関３に対して前記三次元座標情報の提供要求を行う。勿論、機関１が機関２を通じて、またはその逆で要求を行っても良いし、機関１または機関２内に要求されている三次元座標情報が存在する場合には、これ等の機関に対して、あるいはお互いに提供要求が行われても良い。
【００１５】
これに対し、機関３は要求手段で受けた要求に基いてその三次元座標情報を提供する（情報提供手段）。機関３から直接または、機関１を通じて三次元座標情報の提供を受けた加工手段２ｂを有する機関２は、提供された三次元座標情報に基づいて歯牙一体型の暫間有床義歯を加工して作製する。加工方法は特に限定されないが、三次元座標情報に基づいて制御することにより、ブロック材料をＮＣ制御の３軸以上の加工機によって切削・研削する方法がある。また、加工方法は、三次元座標情報に基づいて制御することにより、所定形状を作製するラピッドプロトタイピング装置による加工であっても良い。
【００１６】
何れの加工方法であっても、歯牙と床とを別々に作製することなく、一連の加工で暫間有床義歯全体を作製する、即ち、歯牙の一体型の暫間有床義歯を作製するため、作製に要する手間や時間が非常に短いという利点がある。また、三次元座標情報として保管されている情報はオンラインで結ばれているため、震災等の場合であっても震災から離れた地で稼働している複数の機関２が分担して多くの加工を請け負うことができる。そのため、震災や大事故等によって多くの人々の義歯が失われる事態となっても、大量に暫間有床義歯を作製することが可能となる。
なお、本発明における暫間有床義歯は、義歯としての最低限の機能を回復することが目的であるから、歯牙の色が歯肉と同系統の赤系であっても災害時には問題とはせずに、歯牙と床とを別々に作製することなく一連の加工で暫間有床義歯全体を作製するが、白い歯牙の暫間有床義歯を作製しても良いのは勿論である。
【００１７】
本発明において、情報管理機関である機関３は、企業により管理運営される機関であることが好ましい。例えば生命保険会社に設けられた情報管理機関であれば、患者が生命保険会社とその旨の契約をしていることを条件として医療情報である三次元座標情報を保管する。この契約は例えば、生命保険の付帯契約として顧客と締結され、契約をしたことをもって、プライベートな情報である三次元座標情報の保管について患者（顧客）の同意が予めなされることになるとともに、以後、患者が医療機関を変更しても医療情報は後日の活用のために確実に保管される利点がある。
【００１８】
要求手段が情報提供の要求を行う前に患者が死亡した場合、三次元座標情報は消去されることが好ましい。このような処理は、患者の代理人による申請や役所の情報に基づいて行われることが望ましいが、実施には、前記契約を行っている生命保険会社であるとより的確に患者の死亡情報を入手することが可能となる。この処理の意義は、無用な顧客情報は消去してプライバシー保護の万全を期すとともに、情報保管手段の容量を確保することにある。
【図面の簡単な説明】
【００１９】
【図１】実施の形態における暫間有床義歯の情報保管システムのブロック図。
【符号の説明】
【００２０】
１    機関１
1a    コンピュータ
1b    データ取得手段
２    機関２
2a    コンピュータ
2b    加工手段
３    機関３
４    機関４
Ｄ    保存媒体
Ｌ    オンライン
【図１】
2013123557.tif 000003